(57)【要約】家具用つや出し剤及びこれらの使用方法が開示される。これらのつや出し剤は、増粘剤を有するバイリキッドフォームである分散液の形態にあり、この場合、このフォームは、水中油複合体として構造化されている。この分散液は、ポリシロキサン及び／又は鉱油のような炭化水素油を有する油部分を有する。同様に、界面活性剤、例えば１つの非イオン性界面活性剤、及び１つのより極性の界面活性剤も存在する。水も備えられる。このつや出し剤は好ましくは本質的に、アルコールを含まない。【特許請求の範囲】
【請求項１】
家具用つや出し剤であって、
分散液の形態の液体を含み、該分散液が、カルボマー、コロイドポリマー、及びガムからなる群から選択された増粘剤を有するバイリキッドフォーム（ｂｉｌｉｑｕｉｄ  ｆｏａｍ）を含み、
前記分散液は、増粘剤以外に、ポリシロキサン及び炭化水素油からなる群から選択された油を少なくとも０．０１重量％と、界面活性剤を０．０００１〜２重量％と、水を少なくとも１０重量％と、を含む家具用つや出し剤。
【請求項２】
前記つや出し剤が本質的に、有機アルコールを含まない請求項１に記載のつや出し剤。
【請求項３】
前記分散液が、増粘剤以外に、非イオン性界面活性剤を０．０００１〜２重量％と、アニオン性界面活性剤、カチオン性界面活性剤、及び両性界面活性剤からなる群から選択される界面活性剤を０．０００１〜２重量％と、を含む請求項１に記載のつや出し剤。
【請求項４】
更に、加圧ガスを含む請求項１に記載のつや出し剤。
【請求項５】
前記増粘剤が、アクリル酸の架橋ポリマーの塩である請求項１に記載のつや出し剤。
【請求項６】
前記分散液が、増粘剤以外に、少なくとも１重量％の鉱油と、少なくとも１重量％のポリシロキサンと、を含む請求項１に記載のつや出し剤。
【請求項７】
前記分散液が、増粘剤以外に、互いに異なる粘度を有する２つの異なるポリシロキサンを含む請求項５に記載のつや出し剤。
【請求項８】
更に、抗菌薬を含む請求項１に記載のつや出し剤。
【請求項９】
前記分散液が、増粘剤以外に、総量で１重量％を超えない界面活性剤を含む請求項１に記載のつや出し剤。
【請求項１０】
家具のつや出し方法であって、
カルボマー、コロイドポリマー、及びガムからなる群から選択された増粘剤を有するバイリキッドフォームを含み、該増粘剤以外に、シリコーンオイルを少なくとも１重量％と、鉱油を少なくとも１重量％と、非イオン性界面活性剤を０．０００１〜２重量％と、アニオン性界面活性剤、カチオン性界面活性剤、及び両性界面活性剤からなる群から選択された界面活性剤を０．０００１〜２重量％と、噴射剤と、水を少なくとも１０重量％と、を含み、且つ、本質的に有機アルコールを含まない分散液の形態の液体つや出し剤が入っているエアゾール容器を入手することと、
家具につや出し剤をスプレーすること、を含む方法。
【発明の詳細な説明】
【技術分野】
【０００１】
（関連出願への相互参照）
不適用
（連邦政府から資金援助を受けた研究及び開発に関する声明）
不適用
【０００２】
この発明は、家具用つや出し剤に関する。特に本発明は、家具用つや出し剤として有用なバイリキッドフォーム分散液、及びこれらを用いた家具のつや出し方法に関する。
【背景技術】
【０００３】
米国特許第３，９６５，５１８号において、中でも特に、水、鉱油、シリコーンオイル、非イオン性界面活性剤及び／又はアニオン性界面活性剤、防腐剤、及びｐＨ調節剤を、乳剤形態で含有する家具用つや出し剤を、（拭き取り布を介して）塗布することが提案された。しかしながら乳剤は、これらを安定にするために、比較的高レベルの界面活性剤を必要とする傾向がある。
【０００４】
乳剤の安定性は、界面活性剤のレベルが減少するにつれて、多くの場合これに応じて減少し、使用前にこの製品を振る必要が生じる。消費者がこの製品を振るのを忘れると、その結果として生じる噴霧は、所望の成分よりもあるいくつかの成分を多く有することになり、一方、容器中の残留物は、同様に偏った化学的性質を有するであろう。このことから、この製品についての消費者の不満が生じるであろう。その理由は、この製品が二度目に使用される際には、最初の使用前に振るのを忘れた人以外の人が使うかもしれないからである。同様に、高濃度で用いられた界面活性剤は、家具上に残留分が残るという、最適でない特徴を有する。
【０００５】
更には、いくつかの抗菌薬の有効性を妨げる傾向がある乳剤がある。抗菌薬は、つや出し剤の保存、及び処理される表面のどちらに関しても重要である。最近この点に関して、処理される表面も抗菌特性を有するように、製品中に抗菌薬を含ませる傾向がある。
同様に、シリコーンオイルは、家具用つや出し剤中の特に望ましい成分である。これらは、高度に望ましい視覚的外見を与える。しかしながら従来の乳剤は、これらがシリコーンオイルを含有する時、極性炭化水素溶剤の使用しないと、安定性及び／又は溶解性の問題を有する傾向がある。多くの極性炭化水素溶剤（特にアルコール）は、環境又は可燃性の問題、又は家具表面への極性炭化水素溶剤の影響によって望ましくないことがある。
【０００６】
同様に米国特許第３，９６５，５１８号に記載されているように、家具用つや出し剤は以前には、多様な形態で、例えばペースト、ローション、クリーム、及び加圧容器からスプレーされる乳剤として調合されていた。家具用つや出し剤がエアゾールを介して送達される時、エアゾール缶は一般的には、乳化されたつや出し液体と、一般的に炭化水素ガス、例えばブタン、プロパン、イソブタン、イソプロパン、又はこれらの混合物である噴射剤が充填されている。つや出し剤は、時には乳剤の均一性を再確立するためにこの缶を振った後で、処理されることになる表面上にこの缶からスプレーされる。一般に、エアゾール乳剤家具用つや出し剤の考察のためには、米国特許第４，３５４，８７１号を参照できる。
【０００７】
関連のない研究において、業界は、バイリキッドフォームとして知られている水中油分散液を開発している。これらの分散液中で、油は、第一界面活性剤によって取囲まれた孤立の液滴中に存在する。残りの水は、その中に第二の界面活性剤を溶解している。第二の界面活性剤は、油の界面活性剤コーティングされた表面に移動し、界面活性剤の二層によって取り囲まれた少なくともいくつかの滴（好ましくは大部分油滴）を生じる。一般に、米国特許第４，４８６，３３３号及び第６，３１２，７６０号を参照できる。同様に、F.Sebba、「バイリキッドフォーム−  予備レポート（Biliquid Foams-A Preliminary Report）」、40J.Colloid.Interface Sci.468-474（1972年）；O.Sonneville-Aubrunら、「バイリキッドフォーム中の界面活性剤膜（Surfactant Films In Biliquid Foams）」、16 Langmuir 1566-1579（2000年）、及びディスパース・テクノロジーズ社（Disperse Technologies Limited）1998年、「高度局所分散技術（Advanced Topical Dispersion Technology）」というタイトルの技術発表を参照できる。
【０００８】
これらのフォーム（ｆｏａｍ）の初期バージョンでは、不安定であることが重大な問題であった。しかしながら米国特許第６，１６５，４７９号は、このようなフォームへ粘度調整剤／増粘剤を添加することによって、フォームの安定性を顕著に増すことができることが教示されている。しかしながらこの特許は、化粧品の調合に大幅に焦点が当てられ、したがって家具用つや出し剤の作製における設計／調合の問題に取り組んでいなかった。
したがって改良された家具用つや出し剤、特にポリシロキサンを含有する家具用つや出し剤へのニーズが依然として存在する。
【発明の開示】
【課題を解決するための手段】
【０００９】
１つの形態において、本発明は、カルボマー、コロイドポリマー、及びガムからなる群から選択された増粘剤を有するバイリキッドフォームを含む分散液の形態で家具用つや出し剤を提供する。この分散液は、増粘剤以外に、ポリシロキサン及び炭化水素油からなる群から選択された油を少なくとも０．０１重量％、界面活性剤を０．０００１重量％〜２重量％、及び水を少なくとも１０重量％含む。この分散液は、増粘剤以外に、典型的には、本質的に非極性の界面活性剤（例えば非イオン性界面活性剤）を０．０００１重量％〜２重量％、及びアニオン性界面活性剤、カチオン性界面活性剤、及び両性界面活性剤からなる群から選択された、より極性の界面活性剤を０．０００１重量％〜２重量％を有する。
【００１０】
特に好ましい形態において、前記分散液は、増粘剤以外に、少なくとも１重量％の鉱油、及び少なくとも１重量％のポリシロキサンを有する。高いレベルの鉱油及びポリシロキサン（特に、両方で合計、増粘剤以外の分散液の１０パーセント以上）は、これらを含有する乳剤を予め調製することを特に困難にしていた。
【００１１】
本発明の調製物は、ポリシロキサンが存在する時でさえ、安定性を得るために極性揮発性助溶剤を有する必要がない。このことは、特に環境を意識した管轄領域（ｊｕｒｉｓｄｉｃｔｉｏｎｓ）において、あるいくつかの利点を有しうる。これはまた、処理物質が、一定の感度の高い表面に塗布される場合にも利点を有しうる。
【００１２】
例えば、この混合物は本質的に、２０℃で０．１ｍｍ／Ｈｇよりも大きい揮発性を有する有機溶媒を含まなくてもよい。あるいはまた、この混合物は本質的に、２０℃で０．１３ｍｍ／Ｈｇよりも大きい揮発性を有する有機溶媒を含まなくてもよい。更にはこの混合物は、本質的にアルコールフリーであってもよい。
【００１３】
もう１つの態様において、本発明は、家具（例えばテーブル、ドレッサー、椅子、書棚など）のつや出し方法を提供する。本発明の液体つや出し剤が入っているエアゾール容器を入手する。前記つや出し剤は、分散液の形態にあり、この分散液は、オイルベースのバイリキッドフォームと、カルボマー、コロイドポリマー、及びガムからなる群から選択される増粘剤と、を有する。前記分散液は、増粘剤以外に、シリコーンオイルを少なくとも１重量％と、鉱油を少なくとも１重量％と、非イオン性界面活性剤を０．０００１重量％〜２重量％と、アニオン性界面活性剤、カチオン性界面活性剤、及び両性界面活性剤からなる群から選択される界面活性剤を０．０００１重量％〜２重量％と、水を少なくとも１０重量％と、を有する。
【００１４】
前記つや出し剤を家具にスプレーする。この型のつや出し剤は、最良には、布などでこのつや出し剤をすりこんで用いられる。この布は、セルロース繊維とほかの天然又は合成繊維（例えば木綿又はウール）との混合物を含んでいてもよく、又は全体が天然若しくは合成繊維（例えばレーヨン、ポリアミド繊維、アクリロニトリル繊維、ポリエステル繊維、ビニル繊維、タンパク質繊維、フルオロカーボン繊維、ジニトリル繊維など）から形成されていてもよい。布切れ（ｃｌｏｔｈｉｎｇ  ｒａｇ）が一般的に適切な布である。
【００１５】
前記分散液は、例えばカルボマー（例えば多官能剤で架橋されているアクリル酸のポリマー）、コロイドポリマー、又はガムのような増粘剤／粘度調整剤を、０．０５〜２％、好ましくは０．０５〜０．５％の濃度で含むことがよい。ほかの例は、アルギネートガム又はこれらの塩、グアーガム、ローカストビーンガム、キサンタンガム、アラビアゴム、ゼラチン、ヒドロキシメチルセルロース、ヒドロキシエチルセルロース、ヒドロキシプロピルセルロース、カルボキシメチルセルロース、これらの化合物の塩、ベントナイト、マグネシウムアルミニウムシリケート、及びグリセリルポリメタクリレート、及びグリコール中のこれらの分散液、並びにこれらの混合物である。本発明者らの家具つや出し用拭き取りに最も好ましい増粘剤は、カルボポール（Ｃａｒｂｏｐｏｌ）（登録商標）Ｕｌｔｒｅｚ５（Ｂ．Ｆ．グッドリッチ（Ｇｏｏｄｒｉｃｈ）から入手可能。）として知られているアクリル酸の架橋ポリマーの塩である。この増粘剤は、アリルペンタエリトリトールで架橋されたアクリル酸のポリマーである。
【００１６】
この分散液はまた、ほかの任意成分を有していてもよい。例えば、水酸化ナトリウムで適切にｐＨ調節されている、ローム・アンド・ハース（Ｒｏｈｍ  ａｎｄ  Ｈａａｓ）から入手しうる、例えばカソン（Ｋａｔｈｏｎ）（登録商標）ＩＣＧなどの防腐剤が存在してもよい。
【００１７】
同様に、この製品が家具用つや出し剤である時、家具つや出し分野において慣習的であるスクラッチカバー着色料、香料、及びほかの添加剤が存在してもよい。一般的に、米国特許第５，８４９，８３８号を参照できる。
【００１８】
非常に多様な非イオン性界面活性剤が、本発明の目的のために用いられるように思われる。本発明者らは特に、ラウレス（Ｌａｕｒｅｔｈ）−４（ラウリルアルコールのポリエチレングリコールエーテル）の使用を好む。しかしながらその代わりに、アルカノールアミド、多価アルコールのエステル（例えばエチレン、ジエチレン、若しくはプロピレングリコールのエステル、又はグリセロール又はポリグリセロール、又はソルビタン、グルコース又はスクロース）、アルコールのポリオキシエチレン又はポリオキシプロピレン誘導体、アミド又はエステル、又はポリオキシエチレン／ポリオキシプロピレンブロックコポリマー、又はこれらの適切な相溶性混合物を用いることができるであろう。
【００１９】
他の界面活性剤（２つ用いられる時、これは一般的である）は、多様なより極性の界面活性剤から選択することができる。本発明者らは、アニオン性界面活性剤ナトリウムラウリルエーテル硫酸塩を好む。しかしながら多数のほかのアニオン性界面活性剤も適切であろう。その例は、アシル−ラクテート、Ｎ−アシルサルコシネート、アルキル−カルボキシレート（一価又は多価）、アルキルエーテルカルボキシレート、Ｎ−アルキル−グルタメート、脂肪酸−ペプチド縮合物、リン酸化エトキシル化アルコール、アルキル硫酸塩、エトキシル化アルキル硫酸塩、アルファ−オレフィンスルホネート、及びエステル連結スルホネートである。
【００２０】
他方の界面活性剤はまた、カチオン性界面活性剤であってもよく、これの一例はアミドアミンである。あるいはまた、他方の界面活性剤は両性であってもよく、例えばアシルアミノ酸、Ｎ−置換アルキルアミン、Ｎ−アルキル−β−アミノプロピオネート、Ｎ−アルキルベタイン、アルキルイミダゾリン、及びスルホベタインである。
【００２１】
好ましいポリシロキサンは、ジメチルポリシロキサンである。しかしながらほかのシリコーンもまた、用いることができる。更には多様な炭化水素油が適切であろう。好ましい粘度範囲は、５０ｃｔｓから５，０００ｃｔｓである。
【発明の効果】
【００２２】
本発明は、高度に安定であり、この中に噴射剤及びポリシロキサンを組み込むのに適しており、高レベルの揮発性又は有機成分を必要としない家具用つや出し剤を提供する。
【発明を実施するための最良の形態】
【００２３】
好ましい実施形態が以上で考察されており、以下でも考察されるであろうが、これらは単に本発明の例にすぎないことを理解すべきである。本発明の完全な範囲をより完全に理解するためには、特許請求の範囲が検討されるべきである。
【００２４】
本発明への使用に好ましい１つの家具つや出し用分散液は、次の処方を有する。
【００２５】
【表１】
2006505677.tif 000002
【００２６】
クレアロール（Ｋｒｅａｒｏｌ）鉱油は、Ｗｉｔｃｏ社から入手可能であり、飽和脂肪族及び脂環式非極性炭化水素からなる。ポリシロキサンは、多様な異なる供給源、例えばワッカー・シリコーンズ（Ｗａｃｋｅｒ  Ｓｉｌｉｃｏｎｅｓ）社又はダウ・コーニング（Ｄｏｗ  Ｃｏｒｎｉｎｇ）社から得ることができる。ラウレス−４は、広く入手可能な非イオン性界面活性剤である（同様にラウリルアルコールのポリエチレングリコールエーテルとしても知られている）。
【００２７】
分散液の生成において、好ましくはまず、３つの油成分と非イオン性界面活性剤（ラウレス−４）とを混合する。ついで、水、増粘剤、アニオン性界面活性剤（ナトリウムラウリルエーテル硫酸塩）、カソン（登録商標）防腐剤、及び水酸化ナトリウムを別々に混合する。この時点で、水相の約１０パーセントを取り、これを容器に入れる。ついで、油相の上部表面のところで静かに攪拌しつつ、ゆっくりと油相を水相中に滴下する。
【００２８】
油相が完全に容器に加えられたら、ついで水相の残りの部分を添加する。この後者の工程は、１０パーセントの水への油の添加工程よりも迅速に行なうことができる。
【００２９】
バイリキッドフォームの形成のこの特に好ましい方法の理由は、適切に規則正しい方法で、水相によって完全に取囲まれる能力を油に備えさせることである。このことは、バイリキッドフォームの形成において、大きな助けになる。
【００３０】
前記分散液が、エアゾール製品の一部になるならば、その場合には、この液体分散液を加圧可能な容器中に入れ、ついで従来のガス充填技術を用いて、容器に噴射ガスを添加する。この容器は、この混合物が、ボタンなどを押すことによりエアゾール容器からこの混合物が放出されるように、従来の出口バルブ構造を有していてもよい。
【００３１】
エアゾール化されていない代替つや出し剤は、次の処方を有する。
【００３２】
【表２】
2006505677.tif 000003
【００３３】
前記つや出し剤は、たとえポリシロキサンが含まれていても、アルコールのような極性揮発性炭化水素溶剤を有する必要がないことに注目すべきである。このことは、あるいくつかの特に感度の強い家具類に関して有利であることがあり、いずれにしても、あるいくつかの環境的理由から望ましい。
【００３４】
好ましい防腐剤はカソン（登録商標）ＣＧ／ＩＣＰであるが、前記調合物はまた、ほかの抗菌薬、例えばｐ−ヒドロキシ安息香酸のエステル、ホルマリン、又はイミダゾリジニルウレアを含有してもよい。
【００３５】
本発明のつや出し剤は、エアゾール家具用つや出し剤、例えばプレッジ（Ｐｌｅｄｇｅ）（登録商標）ブランドのつや出し剤が現在用いられている方法と同様な方法で用いることができる。この点に関して、このつや出し剤を取り、つや出しされることになる家具の比較的小さい表面積（例えば１平方メートル）に、所望量（例えばつや出し剤数ｍｌ）を塗布する。エアゾールスプレーの場合、スプレー中のつや出し剤を塗布するために、この容器を、表面から約６インチ離れたところに維持する。非エアゾールつや出し剤の場合、適量のつや出し剤を表面上に注ぐか、又は押しつける。
【００３６】
どちらの場合も、表面全体に布又はほかの拭き取り布をこすることによって、つや出し剤が広げられて、作用するのが一般的である。表面はまた、所望であれば磨かれてもよい。
【００３７】
分散液の安定性によって、前記つや出し剤の容器は、使用前に振ったり、混ぜたりする必要がない。更には、バイリキッドフォームそれ自体は、洗浄を改良しないであろうが、現在までテストされているバイリキッドフォーム調合物は、拭き取り性を改良することで、性能を改善した。その結果、より少ない努力及びより少ないふき取りで、同様に望ましい光沢を生じる。この点に関して、つや出し剤は、組み合わされた目的（例えばほこり取り及びつや出し）のために用いられることが多い。本発明のつや出し剤は、家具から磨き布にほこりを移動させるのに非常に効果的である。
【００３８】
好ましい実施形態が上に記載されているが、本発明の精神及び範囲内にある多くのほかの実施形態がある。したがって特許請求の範囲には、本発明の完全な範囲を理解するために注意を払うべきであり、特許請求の範囲は、これらの好ましい実施形態だけに限定されると考えるべきでない。
【００３９】
（産業上の利用可能性）
本発明は、改良された家具用つや出し剤、およびこれらの使用方法を提供する。
【国際調査報告】
2006505677.tif 000004
2006505677.tif 000005
2006505677.tif 000006